(57)【要約】【課題】小物とともに長尺物も安定して収納可能な鞄及びインナーバッグを提供すること。【解決手段】鞄の内部に収容可能なインナーバッグ１０は、剛性を有して互いに平行に離間して配された平面状の第一部材１１及び第二部材１２と、平面状に形成された第三部材１３と、を備え、第三部材１３が第一部材１１の一端１１Ａと第二部材１２の他端１２Ａとに接続されて第一部材１１、第二部材１２及び第三部材１３が平面視略Ｚ字状に形成され、第三部材１３の少なくとも一部の表面１３Ａ及び裏面１３Ｂの間に収納部１５が形成されている。【選択図】図１
2020078418.tif 000002
【特許請求の範囲】
【請求項１】
鞄内に収容可能なインナーバッグであって、
互いに平行に離間して配された平面状の第一部材及び第二部材と、
平面状に形成された第三部材と、
を備え、
前記第三部材が前記第一部材の一端と前記第二部材の他端とに接続されて前記第一部材、前記第二部材及び前記第三部材が平面視略Ｚ字状に形成され、
前記第三部材の少なくとも一部の表面及び裏面の間に収納部が形成されているインナーバッグ。
【請求項２】
前記第一部材又は前記第二部材の少なくとも一方の一部の表面及び裏面の間に前記収納部が形成されている請求項１に記載のインナーバッグ。
【請求項３】
前記第一部材又は前記第二部材の少なくとも一方と略鉛直方向又は略平行に接続される補強部を備える請求項１又は２に記載のインナーバッグ。
【請求項４】
請求項１から３の何れか一つに記載のインナーバッグを備える鞄。
【発明の詳細な説明】
【技術分野】
【０００１】
本発明は、鞄及び鞄内に収納可能かつ着脱可能なインナーバッグに関する。
【背景技術】
【０００２】
手提げ鞄のような鞄内に様々な大きさや形状の収容物を無秩序に収納した状態で例えば小物を取り出す際、他の収容物が邪魔になって目的の小物をすぐに取り出すことができない場合がある。このような状況を改善するため、鞄の中にさらにポケット等を設けて当該ポケットに小物を収納できるようにしたものが提案されている（例えば、特許文献１参照。）。
【先行技術文献】
【特許文献】
【０００３】
【特許文献１】特開２００５−１３７５２３号公報
【発明の概要】
【発明が解決しようとする課題】
【０００４】
ところで、鞄の幅よりも大きい長尺物を小物と一緒に収納しようとする場合、鞄の幅方向に対してマチ幅の許す限り斜めにずらして収納する場合がある。しかしながらこのような場合、従来のように鞄の中にポケットや間仕切りがあるとこれらが邪魔になって収納することが困難になる場合がある。一方、ポケットや間仕切りを外してしまうと小物等を収納できなくなってしまう。
【０００５】
本発明は上記事情に鑑みて成されたものであり、小物とともに長尺物も安定して収納可能な鞄及びインナーバッグを提供することを目的とする。
【課題を解決するための手段】
【０００６】
本発明は、上記課題を解決するため、以下の手段を採用する。
本発明に係るインナーバッグは、鞄内に収容可能なインナーバッグであって、剛性を有して互いに平行に離間して配された平面状の第一部材及び第二部材と、平面状に形成された第三部材と、を備え、前記第三部材が前記第一部材の一端と前記第二部材の他端とに接続されて前記第一部材、前記第二部材及び前記第三部材が平面視略Ｚ字状に形成され、前記第三部材の少なくとも一部の表面及び裏面の間に収納部が形成されている。
【０００７】
また、本発明に係るインナーバッグは、前記第一部材又は前記第二部材の少なくとも一方の一部の表面及び裏面の間に前記収納部が形成されている。
【０００８】
また、本発明に係るインナーバッグは、前記第一部材又は前記第二部材の少なくとも一方と略鉛直方向又は略平行に接続される補強部を備える。
【０００９】
また、本発明に係る鞄は、本発明に係るインナーバッグを備える。
【発明の効果】
【００１０】
本発明によれば、小物とともに長尺物も安定して鞄内に収納できる。
【図面の簡単な説明】
【００１１】
【図１】本発明の第１実施形態に係るインナーバッグの概要を示す斜視図である。
【図２】本発明の第１実施形態に係るインナーバッグを鞄内に収納した状態又は本発明に係る鞄を示す平面図である。
【図３】本発明の第２実施形態に係るインナーバッグの概要を示す斜視図である。
【図４】本発明の第２実施形態に係るインナーバッグの別の状態を示す斜視図である。
【図５】本発明の他の実施形態に係るインナーバッグの概要を示す斜視図である。
【図６】本発明の他の実施形態に係るインナーバッグの概要を示す斜視図である。
【発明を実施するための形態】
【００１２】
本発明に係る一実施形態について、図１及び図２を参照して説明する。
本実施形態に係る鞄１は、鞄本体５及びインナーバッグ１０を備える。そして、インナーバッグ１０は、鞄本体５の内部に収容可能とされ、互いに平行に離間して配された平面状の第一部材１１及び第二部材１２と、平面状に形成された第三部材１３と、を備えている。
【００１３】
第一部材１１及び第二部材１２は、略長方形状に形成され、鞄本体５の横マチ部分に収納可能となるように、短辺の長さが鞄本体５のマチ幅よりもやや小さく、長辺の長さが鞄本体５の高さよりもやや小さい大きさとなっている。
【００１４】
第三部材１３は、略長方形状に形成され、鞄本体５の幅方向に対して傾斜した状態で鞄本体５内に収容可能となるように、短辺の長さが鞄本体５の高さよりもやや小さく、長辺の長さが鞄本体５の幅よりもやや大きく形成されている。そして、第三部材１３の短辺側が第一部材１１の長辺側の一端１１Ａと第二部材１２の長辺側の他端１２Ｂとにそれぞれ接続されている。すなわち、第一部材１１、第二部材１２及び第三部材１３は平面視略Ｚ字状に形成されている。
【００１５】
第一部材１１、第二部材１２及び第三部材１３とも鞄本体５内に立設可能な剛性かつ鞄本体５への出し入れ時の変形を許容する柔軟性を合わせもつ材質からなる。併せて、第一部材１１と第三部材１３とで形成される角度α、及び、第二部材１２と第三部材１３とで形成される角度βは、鞄本体５への収容時や収納した際の形状変化に対応できるように所定の範囲内で変形可能となっている。第三部材１３の表面１３Ａ及び裏面１３Ｂの間には収納部１５が形成されている。収納部１５にはボタン１６が開閉可能に配されている。
【００１６】
次に、本実施形態に係る鞄１及びインナーバッグ１０の作用について説明する。
まず、このインナーバッグ１０を鞄本体５内に収納する。この際、第三部材１３の長辺長さが鞄本体５の幅よりもやや大きいので、各部材を変形させながら収容する。
【００１７】
例えば、ノート型パソコンのように鞄本体５の幅よりも大きい硬質の長尺物Ｌを鞄本体５に収納する際、収納部１５のボタン１６を開けて、内部に収容する。この際、第一部材１１及び第二部材１２と合わせて第三部材１３も剛性を有する。そのため、鞄本体５内でインナーバッグ１０が安定した状態で維持される。
【００１８】
この鞄１及び鞄本体５に対して平面視略Ｚ字状に収納されるインナーバッグ１０によれば、長尺物Ｌの長さが鞄本体５の幅よりも大きくても鞄本体５内に安定した状態で収納することができる。この際、鞄本体５とインナーバッグ１０との間に形成された隙間Ｓ１部分に小物Ｍを収納することができる。そして、鞄本体５が揺れても長尺物Ｌが鞄本体５内を移動することがなく、鞄本体５を開けた際に小物Ｍを容易に取り出すことができる。
【００１９】
（第２実施形態）
次に、本発明の第２実施形態について図３及び図４を参照して説明する。
なお、上述した第１の実施形態と同様の構成要素には同一符号を付すとともに説明を省略する。
第２の実施形態と第１の実施形態との異なる点は、本実施形態に係るインナーバッグ２０が、剛性を有する補強部２１を備えているとした点である。
【００２０】
補強部２１は、略長方形状に形成され、面部分が第一部材１１及び第二部材１２の辺部分に略鉛直方向から接続されている。補強部２１は、図３に示すように、長辺の長さが第一部材１１と第二部材１２との距離と略同一とされ、短辺の長さが第一部材１１と第二部材１２との短辺と略同一の大きさに形成されている。そして、第一部材１１と第二部材１２との短辺側に接続されている。
【００２１】
なお、補強部２１は、図４に示すように、第一部材１１と第二部材１２との長辺側に接続された補強部２１Ａでも構わない。
【００２２】
このインナーバッグ２０によれば、補強部２１を備えているので、鞄本体５内に収納した際、収納部１５に収容する長尺物が硬質でなくてもインナーバッグ２０の変形を抑えることができる。また、鞄本体５内にインナーバッグ２０を収容した場合、補強部２１と鞄本体５の内面との間に不図示の隙間が形成される。そのため、この隙間にも小物等を収納することができる。
【００２３】
なお、本発明の技術範囲は上記実施の形態に限定されるものではなく、本発明の趣旨を逸脱しない範囲において種々の変更を加えることが可能である。
例えば、第一部材１１及び第二部材１２は、横マチ部分に収納可能となるように、短辺の長さが鞄本体５のマチ幅よりもやや小さく、長辺の長さが鞄本体５の高さよりもやや小さい大きさとなっている。しかし、これに限らず、鞄本体５の正面及び背面部分にそれぞれ収納可能となるように、第一部材１１及び第二部材１２の短辺の長さが鞄本体５の高さよりもやや小さく、長辺の長さが鞄本体５の幅よりもやや小さく形成されていても構わない。
【００２４】
また、収納部１５は第三部材１３のみに配されている必要はなく、図５に示すように、第一部材２２又は第二部材２３の少なくとも一方の一部の表面及び裏面の間に形成されて配されていても構わない。さらに、収納部１５のボタン１６の代わりにファスナー等の他の手段で開閉できる公知のものでも構わない。また、収納部１５は第三部材１３に一つだけ配される必要はなく、複数に分割して配されていても構わない。
【００２５】
また、第一部材１１及び第二部材１２とも鞄本体５内に立設可能な剛性を有するものとしているが、剛性を有する代わりに鞄本体５内での固定のために不図示の着脱部材が第一部材１１又は第二部材１２の少なくとも一つに配されるようにしても構わない。また、インナーバッグ１０，２０は、鞄本体５への着脱を容易にするための不図示の取っ手等を備えていても構わない。
【００２６】
また、図６に示すように、補強部２５が第三部材２６と接続されて第一部材１１又は第二部材１２の少なくとも一方と略平行に配されたインナーバッグ３０であっても構わない。さらにこの際、補強部２５は第三部材２６に対してスライド可能に配されていても構わない。この場合、インナーバッグ３０を鞄本体５内に収納した場合、第二部材１２と第三部材２６との間に形成される隙間Ｓ２にも小物等を収納することができる。
【符号の説明】
【００２７】
１  鞄
１０，２０，３０  インナーバッグ
１１，２２  第一部材
１２，２３  第二部材
１３，２６  第三部材
１５  収納部
２１，２１Ａ，２５  補強部
【図１】
2020078418.tif 000003
【図２】
2020078418.tif 000004
【図３】
2020078418.tif 000005
【図４】
2020078418.tif 000006
【図５】
2020078418.tif 000007
【図６】
2020078418.tif 000008